(57)【要約】【課題】Ｆ型コネクタの突出方向をマザーボードに対して任意に選択でき、しかもマザーボード上でのスペースファクタが良好な電子回路ユニットの取付構造を提供すること。【解決手段】電子回路ユニット１は、チューナ回路の一部または全部を含む高周波回路２が配設された回路基板３と、回路基板３に装着されて高周波回路２を覆う板金製の筐体４と、筐体４に一体化された外殻導体部５ａを有するＦ型コネクタ５と、一端部が回路基板３に接続されたフラットケーブル６とを備えており、この電子回路ユニット１をセット側機器に取り付ける際には、パネル１１の取付孔１１ａを貫通して外方へ突出するＦ型コネクタ５にナット部材１２を螺着させて締結することによって、電子回路ユニット１をパネル１１に固定すると共に、フラットケーブル６の他端部をマザーボード１０上のＦＰＣコネクタ１３に接続する。【選択図】図１
2010287527.tif 000002
【特許請求の範囲】
【請求項１】
電子回路ユニットは、高周波回路が配設された回路基板と、この回路基板に装着されて前記高周波回路を覆う金属製の筐体と、この筐体に固定されて前記回路基板に対して略直交する向きに突出するＦ型コネクタと、一端部が前記回路基板に接続された可撓性ケーブルとを備えてなり、
前記Ｆ型コネクタをセット側パネルに設けた取付孔を貫通して外方へ突出させ、この状態で前記筐体と前記Ｆ型コネクタの少なくとも一方を固定手段によって前記セット側パネルに固定すると共に、前記可撓性ケーブルの他端部をマザーボードに接続するようにしたことを特徴とする電子回路ユニットの取付構造。
【請求項２】
請求項１の記載において、前記可撓性ケーブルがフラットケーブルであり、このフラットケーブルの端部を接続するためのコネクタが前記マザーボード上に実装されていることを特徴とする電子回路ユニットの取付構造。
【請求項３】
請求項１または２の記載において、前記固定手段が前記Ｆ型コネクタに螺着させるナット部材であることを特徴とする電子回路ユニットの取付構造。
【請求項４】
請求項３の記載において、前記筐体が前記Ｆ型コネクタと同じ向きに突出する小突起を有し、この小突起が前記セット側パネルの切欠き部に挿入されて係合するようにしてあることを特徴とする電子回路ユニットの取付構造。
【請求項５】
請求項４の記載において、前記切欠き部が、前記取付孔の一部を径方向外側へ切り欠いた凹溝として形成されていることを特徴とする電子回路ユニットの取付構造。
【請求項６】
請求項１〜５のいずれか１項の記載において、前記筐体の前記Ｆ型コネクタを固定している側と反対側が開口端となっており、この開口端が前記回路基板の一面によって覆われていると共に、前記回路基板の他面に接地パターンが形成されていることを特徴とする電子回路ユニットの取付構造。
【請求項７】
請求項１〜６のいずれか１項の記載において、前記高周波回路がチューナ回路の一部または全部であることを特徴とする電子回路ユニットの取付構造。
【発明の詳細な説明】
【技術分野】
【０００１】
本発明は、テレビジョン放送受信用の小型チューナユニット等として好適なＦ型コネクタ付きの電子回路ユニットの取付構造に関するものである。
【背景技術】
【０００２】
近年、薄型テレビの普及に伴って、テレビジョン放送受信用のチューナユニットにおいて小型化の要望が高まっている。この種のチューナユニットは、チューナ回路の一部または全部を含む高周波回路が配設された回路基板と、この回路基板に装着されて高周波回路を覆う板金製のシールドカバーと、同軸ケーブル用のケーブルコネクタが着脱可能なＦ型コネクタとによって主に構成されている。かかるチューナユニットをテレビ受像機等のセット側機器に取り付ける際には、通常、回路基板に設けられた端子群をマザーボード（セット側基板）の配線パターンに半田付けしてチューナユニットを実装すると共に、Ｆ型コネクタをセット側パネルの取付孔に挿通して外方へ突出させるという取付構造が採用されている。このＦ型コネクタは、円筒状の外殻導体部がかしめや半田付けによってシールドカバーに固定されており、外殻導体部の内側に組み込まれている芯線接続金具がシールドカバー内へ延出して回路基板上の高周波回路と電気的に接続されている。そして、前記ケーブルコネクタをＦ型コネクタに嵌め込むことによって、同軸ケーブルの外部導体と芯線がＦ型コネクタの外殻導体部と芯線接続金具とそれぞれ電気的に接続されるようになっている。
【０００３】
従来より、小型化に好適なＦ型コネクタ付き電子回路ユニットとして、Ｆ型コネクタの基端側に板金製の小さな筐体を一体化し、この筐体の内部にＬＴＣＣ基板等からなる小さな回路基板を組み込んだものが提案されている（例えば、特許文献１参照）。このものは、マザーボード上に搭載される筐体の高さ寸法をＦ型コネクタの外径よりも僅かに大きい程度に抑制して低背化を図ることができる。また、筐体をマザーボード上に起立姿勢で搭載するため、マザーボード上における占有面積が狭く、その分、マザーボード上に他の部品の実装領域が確保しやすくなっている。なお、この筐体は、機能的にはシールドカバーと同等の部材であり、回路基板上の高周波回路を覆って電磁的にシールドしていると共に、かしめや半田付けによってＦ型コネクタの基端部を固定している。
【先行技術文献】
【特許文献】
【０００４】
【特許文献１】特開２００５−１１６０４号公報
【発明の概要】
【発明が解決しようとする課題】
【０００５】
ところで、前述した従来の電子回路ユニットは、筐体をマザーボード上に搭載するとＦ型コネクタの突出方向がマザーボードに対して略平行な向きになるため、セット側パネルに対して略直交する向きにマザーボードを配置させなければならない。したがって、薄型テレビ等において、Ｆ型コネクタを縦向き（下向きまたは上向き）に突出させるレイアウトに設計されている場合には問題ないが、Ｆ型コネクタを横向きに突出させるレイアウトに設計されている場合、マザーボードの配置スペースを確保できなくなるという不具合が生じてしまう。また、かかる従来の電子回路ユニットにおいて筐体を極力小型化しても、マザーボード上での占有面積を筐体の底面積よりも小さくすることはできないので、マザーボード上における部品の実装密度が高まると、筐体の搭載スペースを確保しにくくなるという問題もあった。
【０００６】
本発明は、このような従来技術の実情に鑑みてなされたもので、その目的は、Ｆ型コネクタの突出方向をマザーボードに対して任意に選択でき、しかもマザーボード上でのスペースファクタが良好な電子回路ユニットの取付構造を提供することにある。
【課題を解決するための手段】
【０００７】
上記の目的を達成するために、本発明による電子回路ユニットは、高周波回路が配設された回路基板と、この回路基板に装着されて前記高周波回路を覆う金属製の筐体と、この筐体に固定されて前記回路基板に対して略直交する向きに突出するＦ型コネクタと、一端部が前記回路基板に接続された可撓性ケーブルとを備えてなり、前記Ｆ型コネクタをセット側パネルに設けた取付孔を貫通して外方へ突出させ、この状態で前記筐体と前記Ｆ型コネクタの少なくとも一方を固定手段によって前記セット側パネルに固定すると共に、前記可撓性ケーブルの他端部をマザーボードに接続するという電子回路ユニットの取付構造とした。
【０００８】
このように電子回路ユニットをマザーボードではなくセット側パネルに固定して、可撓性ケーブルを介して電子回路ユニットとマザーボードとを電気的に接続するという取付構造を採用すると、Ｆ型コネクタの突出方向をマザーボードに対して任意に選択できるため、セット側パネルに対してマザーボードがどの向きに配置されていても電子回路ユニットを支障なく取り付けることができる。同様の理由で、セット側機器は、Ｆ型コネクタを突出させるセット側パネルとマザーボードとの相対位置関係が制約されなくなるため、設計自由度が向上する。また、マザーボード上に可撓性ケーブルの端部を接続するためのスペースは必要であるが、電子回路ユニットを搭載するためのスペースは不要なので、マザーボード上での占有面積を大幅に減らすことができてスペースファクタが良好となる。
【０００９】
上記の構成において、可撓性ケーブルがフラットケーブルであり、このフラットケーブルの端部を接続するためのコネクタがマザーボード上に実装されていると、電子回路ユニットとマザーボードとを電気的に接続する作業が容易に行えるため好ましい。
【００１０】
また、上記の構成において、固定手段がＦ型コネクタに螺着させるナット部材であると、このナット部材を締結させることによって電子回路ユニットをセット側パネルに容易に固定できるため好ましい。この場合において、筐体がＦ型コネクタと同じ向きに突出する小突起を有し、この小突起がセット側パネルの切欠き部に挿入されて係合するようにしてあると、ナット部材をＦ型コネクタに螺着させる際に電子回路ユニットに回転力が作用しても、小突起が切欠き部の内壁に規制されて電子回路ユニットの供回りが阻止されるため、ナット部材を締結させて電子回路ユニットをセット側パネルに固定する作業が一層容易に行える。また、この切欠き部が、セット側パネルの取付孔の一部を径方向外側へ切り欠いた凹溝として形成されていると、セット側パネルに小突起用の孔を別途形成する必要がないため好ましい。
【００１１】
また、上記の構成において、筐体のＦ型コネクタを固定している側と反対側が開口端となっており、この開口端が回路基板の一面によって覆われていると共に、回路基板の他面に接地パターンが形成されていると、筐体を回路基板の表裏両面を覆うほど大きく形成する必要がなくなるため、電子回路ユニットの小型軽量化が図りやすくなる。
【００１２】
また、上記の構成において、回路基板に設けられた高周波回路がチューナ回路の一部または全部であると、小型化にも好適な実用性の高いテレビジョン放送受信用のチューナユニットが得られる。
【発明の効果】
【００１３】
本発明による電子回路ユニットの取付構造は、セット側パネルに固定した電子回路ユニットを可撓性ケーブルを介してマザーボードと電気的に接続するというものなので、Ｆ型コネクタの突出方向をマザーボードに対して任意に選択できて汎用性が高く、セット側機器の設計自由度も向上する。また、マザーボード上に電子回路ユニットの搭載スペースを確保する必要がないため、マザーボード上での占有面積を大幅に減らすことができてスペースファクタが良好となる。
【図面の簡単な説明】
【００１４】
【図１】本発明の実施形態例でマザーボードがパネルに対して略直角に配置されているセット側機器に電子回路ユニットを取り付けた状態を示す側面図である。
【図２】図１の要部拡大図である。
【図３】図１に対応する正面図である。
【図４】図１に対応する分解斜視図である。
【図５】図４に示す電子回路ユニットの正面図である。
【図６】同実施形態例の変形例でマザーボードがパネルに対して略平行に配置されているセット側機器に電子回路ユニットを取り付けた状態を示す側面図である。
【図７】図６に対応する斜視図である。
【発明を実施するための形態】
【００１５】
以下、本発明の実施形態例を図１〜図７を参照しつつ説明する。これらの図に示す電子回路ユニット１はテレビジョン放送受信用のチューナユニットであり、この電子回路ユニット１は、マザーボード１０やパネル１１を備えたテレビ受像機等のセット側機器に取り付けて使用される。ただし、図１〜図４では、パネル１１に対してマザーボード１０が略直角に配置されているセット側機器に電子回路ユニット１を取り付けた場合を示しており、図６と図７では、パネル１１に対してマザーボード１０が略平行に配置されているセット側機器に電子回路ユニット１を取り付けた場合を示している。
【００１６】
電子回路ユニット１は、チューナ回路の一部または全部を含む高周波回路２が配設された回路基板３と、この回路基板３に装着されて高周波回路２を覆う板金製の筐体４と、図示せぬ同軸ケーブル用のケーブルコネクタが着脱可能なＦ型コネクタ５と、一端部が回路基板３に接続された可撓性に富むフラットケーブル（ＦＰＣ）６とによって主に構成されている。そして、この電子回路ユニット１をセット側機器に取り付ける際には、パネル１１に設けられた取付孔１１ａ（図４参照）にＦ型コネクタ５を挿通して外方へ突出させた状態で、このＦ型コネクタ５にナット部材１２を螺着させて締結すると共に、回路基板３から導出するフラットケーブル６の他端部をマザーボード１０上のＦＰＣコネクタ１３に接続する。これにより、電子回路ユニット１はナット部材１２によってパネル１１に固定され、かつ高周波回路２とセット側の外部回路とが電気的に接続された状態となる。
【００１７】
電子回路ユニット１の構成について詳しく説明すると、Ｆ型コネクタ５は円筒状の外殻導体部５ａを有し、この外殻導体部５ａの外表面には先端部を除いてねじ溝（図示せず）が刻設されている。また、外殻導体部５ａの内側には芯線接続金具５ｂ（図２参照）や絶縁部材５ｃが配設されており、絶縁部材５ｃによって外殻導体部５ａと芯線接続金具５ｂとのアイソレーションが確保されている。外殻導体部５ａの基端部はかしめや半田付けによって筐体４に固定されているため、Ｆ型コネクタ５は筐体４に一体化されている。
【００１８】
筐体４には、外殻導体部５ａの基端部の近傍に位置する小さな突起状の切り起こし片４ａが形成されている。この切り起こし片４ａはパネル１１の切欠き部１１ｂ（図４参照）に挿入されて係合するため、ナット部材１２を外殻導体部５ａのねじ溝に螺着させる際に電子回路ユニット１に回転力が作用しても、切り起こし片４ａが切欠き部１１ｂの内壁に規制されて電子回路ユニット１の供回りが阻止されるようになっている。なお、切欠き部１１ｂは取付孔１１ａの一部を径方向外側へ切り欠いた凹溝としてパネル１１に形成されている。
【００１９】
筐体４はＦ型コネクタ５を固定している側と反対側が開口端となっており、この開口端が回路基板３の一面によって覆われていると共に、回路基板３の他面のほぼ全面に接地パターン３ａが形成されている。これにより、高周波回路２が筐体４と接地パターン３ａとによって電磁的にシールドされた状態になっている。また、図２に示すように、Ｆ型コネクタ５の芯線接続金具５ｂが筐体４内へ延出して回路基板３上の電極ランド３ｂに半田付けされている。そして、Ｆ型コネクタ５に同軸ケーブル用のケーブルコネクタを嵌め込むことによって、同軸ケーブルの外部導体と芯線がＦ型コネクタ５の外殻導体部５ａと芯線接続金具５ｂとそれぞれ電気的に接続されるようになっている。
【００２０】
このように構成された電子回路ユニット１をテレビ受像機等のセット側機器に取り付ける際には、前述したように、Ｆ型コネクタ５をパネル１１の取付孔１１ａに挿通してナット部材１２を螺着させると共に、一端部が回路基板３に接続されているフラットケーブル６の他端部をマザーボード１０上のＦＰＣコネクタ１３に接続する。ナット部材１２を締結させることによって電子回路ユニット１はパネル１１に固定されるため、マザーボード１０上に搭載しなくても電子回路ユニット１は安定的に保持される。また、電子回路ユニット１とマザーボード１０とがフラットケーブル６を介して電気的に接続されるため、Ｆ型コネクタ５の突出方向はマザーボード１０に対して任意に選択できる。それゆえ、パネル１１に対してマザーボード１０がどの向きに配置されていても、この電子回路ユニット１は支障なく取り付けることができる。
【００２１】
例えば、図１〜図４では、パネル１１がセット側機器の底板または天板に相当するため、このパネル１１に対してマザーボード１０が略直角に配置されている。また、図６と図７では、パネル１１がセット側機器の側板や前面板や背面板に相当するため、このパネル１１に対してマザーボード１０が略平行に配置されている。いずれの場合においても、パネル１１に固定した電子回路ユニット１の回路基板３とマザーボード１０上のＦＰＣコネクタ１３との電気的接続はフラットケーブル６によって容易かつ確実に行える。
【００２２】
以上説明したように本実施形態例にあっては、電子回路ユニット１をセット側のマザーボード１０ではなくパネル１１に固定し、フラットケーブル６を介して電子回路ユニット１とマザーボード１０とを電気的に接続するという取付構造を採用しているため、パネル１１に対してマザーボード１０がどの向きに配置されていても電子回路ユニット１を支障なく取り付けることができて、汎用性が高まっている。一方、セット側機器も、Ｆ型コネクタ５を突出させるパネル１１とマザーボード１０との相対位置関係が制約されなくなるため、設計自由度が広くなっている。
【００２３】
また、本実施形態例にあっては、マザーボード１０上に電子回路ユニット１を搭載するためのスペースが不要なので、マザーボード１０上での占有面積を大幅に減らすことができてスペースファクタが良好となる。しかも、電子回路ユニット１はフラットケーブル６をＦＰＣコネクタ１３に接続するだけでマザーボード１０との電気的接続が完了するため、その接続作業は極めて容易である。
【００２４】
また、本実施形態例にあっては、Ｆ型コネクタ５の外殻導体部５ａに螺着させたナット部材１２を締結するだけで電子回路ユニット１をパネル１１に固定することができ、しかも切り起こし片４ａと切欠き部１１ｂとの係合によって電子回路ユニット１の供回りが阻止されるように配慮されているため、極めて容易に電子回路ユニット１の取付作業が行える。なお、回り止め手段である切り起こし片４ａや切欠き部１１ｂの位置は特に限定されるわけではないが、本実施形態例のように、パネル１１の取付孔１１ａの一部を径方向外側へ切り欠いた凹溝として切欠き部１１ｂが形成されていると、パネル１１に切り起こし片４ａ用の孔を別途形成する必要がなくなるため好ましい。
【００２５】
また、本実施形態例にあっては、筐体４の開口端が回路基板３の一面によって覆われており、この回路基板３の他面に接地パターン３ａが形成されているため、筐体４内に回路基板３が収納されていなくても、高周波回路２が電磁的にシールドされた状態になっている。こうすることで、筐体４を回路基板３の全体を覆うほど大きく形成する必要がなくなるため、電子回路ユニット１の小型軽量化が図りやすくなる。ただし、筐体内に回路基板が収納されている電子回路ユニットであっても、本発明を適用することで上記の効果が得られることは言うまでもない。
【符号の説明】
【００２６】
１  電子回路ユニット
２  高周波回路
３  回路基板
３ａ  接地パターン
４  筐体
４ａ  切り起こし片（小突起）
５  Ｆ型コネクタ
５ａ  外殻導体部
５ｂ  芯線接続金具
６  フラットケーブル（可撓性ケーブル）
１０  マザーボード
１１  パネル（セット側パネル）
１１ａ  取付孔
１１ｂ  切欠き部
１２  ナット部材（固定手段）
１３  ＦＰＣコネクタ
【図１】
2010287527.tif 000003
【図２】
2010287527.tif 000004
【図３】
2010287527.tif 000005
【図４】
2010287527.tif 000006
【図５】
2010287527.tif 000007
【図６】
2010287527.tif 000008
【図７】
2010287527.tif 000009